(57)【要約】【課題】回路規模の増大を抑制しつつ、携帯型デジタル放送受信機の信号受信時の低消費電力化を実現する。【解決手段】ＴＭＣＣ復号部８は、チューナ部２から送られたテレビジョン放送信号からＴＭＣＣ情報を復号すると、そのＴＭＣＣ情報を変調方式検出部９に送り、変調方式検出部９は、ＴＭＣＣ復号部８からＴＭＣＣ情報を受け取ると、今回受信されたテレビジョン放送の変調方式をＴＭＣＣ情報から特定し、テレビジョン放送波の変調方式に変化があったかどうか判断し、テレビジョン放送波が伝送情報量の多い変調方式から伝送情報量の少ない変調方式に変更された場合、その変更された変調方式に関する情報を電力制限回路１０に送り、電力制限回路１０は、変更された変調方式に関する情報を変調方式検出部９から受け取ると、その変更に対応したＣ／Ｎ比の余裕分を見積もり、そのＣ／Ｎ比の余裕分だけチューナ部２での電力消費を制限する。【選択図】図１
2007068144.tif 000002
【特許請求の範囲】
【請求項１】
受信された放送波に対する選局を行うチューナ部と、該選局された放送波のＣ／Ｎ比の余裕分に基づいて前記チューナ部での電力消費を制限する電力制限回路と、前記チューナ部で選局された放送信号に対して復調処理を施す復調部とを備えたことを特徴とする受信装置。
【請求項２】
受信された放送波に対する選局を行うチューナ部と、前記チューナ部によって選局された放送信号からＴＭＣＣ情報を得るＴＭＣＣ復号部と、前記チューナ部によって選局された放送信号からＴＳ信号を得るＴＳ復調復号部と、前記ＴＳ復調復号部で得たＴＳ信号から音声信号および映像信号を再生するＭＰＥＧ復調部と、前記ＴＭＣＣ復号部で得たＴＭＣＣ情報に含まれる変調方式を表す情報に基づいて前記チューナ部によって選局された放送信号に適用されている変調方式の種別を検出する変調方式検出部と、前記変調方式検出部によって検出された変調方式の種別に応じて前記チューナ部での電力消費を制限する電力制限回路と、を備えたことを特徴とする受信装置。
【請求項３】
前記電力制限回路は、前記変調方式の種別に対応したＣ／Ｎ比の余裕分に相応するように前記チューナ部での電力消費を制限することを特徴とする請求項２に記載の受信装置。
【請求項４】
前記変調方式検出部は、前記ＴＭＣＣ復号部で得たＴＭＣＣ情報に含まれる変調方式を表す情報に基づいて、当該変調方式が変化したタイミングで、前記チューナ部によって選局された放送信号に適用されている変調方式の種別を検出することを特徴とする請求項２に記載の受信装置。
【請求項５】
受信された放送波の選局を行うチューナ部と、前記チューナ部によって選局された放送信号からＴＭＣＣ情報を得るＴＭＣＣ復号部と、前記チューナ部によって選局された放送信号からＴＳ信号を得るＴＳ復調復号部と、前記ＴＳ復調復号部で得たＴＳ信号から音声信号および映像信号を再生するＭＰＥＧ復調部と、前記ＴＭＣＣ復号部で得たＴＭＣＣ情報に含まれる符号化率を表す情報に基づいて前記選局された放送信号に適用された符号化率を検出する符号化率検出部と、前記符号化率検出部によって検出された符号化率に応じて前記チューナ部での電力消費を制限する電力制限回路と、を備えたことを特徴とする受信装置。
【請求項６】
前記電力制限回路は、前記符号化率の程度に応じたＣ／Ｎ比の余裕分に相応するように前記チューナ部での電力消費を制限することを特徴とする請求項５に記載の受信装置。
【請求項７】
前記符号化率検出部は、前記ＴＭＣＣ復号部で得たＴＭＣＣ情報に含まれる符号化率を表す情報に基づいて、当該符号化率が変化したタイミングで、前記選局された放送信号に適用された符号化率を検出することを特徴とする請求項５に記載の受信装置。
【請求項８】
受信された放送波の選局を行うチューナ部と、前記チューナ部によって選局された放送信号からＴＭＣＣ情報を得るＴＭＣＣ復号部と、前記チューナ部によって選局された放送信号からＴＳ信号を得るＴＳ復調復号部と、前記ＴＳ信号から音声信号および映像信号を再生するＭＰＥＧ復調部と、前記ＴＭＣＣ情報に含まれる変調方式を表す情報に基づいて前記チューナ部によって選局された放送信号に適用されている変調方式の種別を検出する変調方式検出部と、前記ＴＭＣＣ情報に含まれる符号化率を表す情報に基づいて前記選局された放送信号に適用された符号化率を検出する符号化率検出部と、前記変調方式検出部によって検出された変調方式の種別および前記符号化率検出部によって検出された符号化率の程度の双方に基づいて前記チューナ部での電力消費を制限する電力制限回路と、を備えることを特徴とする受信装置。
【請求項９】
前記電力制限回路は、前記変調方式の種別および前記符号化率の程度に対応したＣ／Ｎ
比の余裕分に相応するように前記チューナ部での電力消費を制限することを特徴とする請求項８に記載の受信装置。
【請求項１０】
前記変調方式検出部は、前記ＴＭＣＣ復号部で得たＴＭＣＣ情報に含まれる変調方式を表す情報に基づいて、当該変調方式が変化したタイミングで、前記チューナ部によって選局された放送信号に適用されている変調方式の種別を検出するように構成され、且つ、前記符号化率検出部は、前記ＴＭＣＣ復号部で得たＴＭＣＣ情報に含まれる符号化率を表す情報に基づいて、当該符号化率が変化したタイミングで、前記選局された放送信号に適用された符号化率を検出するように構成されていることを特徴とする請求項８に記載の受信装置。
【請求項１１】
放送波を受信して前記チューナ部に供給するアンテナ、前記ＭＰＥＧ復調部で復調された音声信号による音声を出力するスピーカ、前記ＭＰＥＧ復調部で復調された映像信号による映像を表示するディスプレイ、および、受信装置に作動用の電力を供給する電源のうち少なくとも何れかのものを更に備えていることを特徴とする請求項２、５、および、８の何れか一項に記載の受信装置。
【発明の詳細な説明】
【技術分野】
【０００１】
本発明は受信装置に関し、特に、携帯型デジタルテレビジョン放送受信機に好適なものである。
【背景技術】
【０００２】
デジタルＣＳ（Communication Satellite）放送やＢＳ（Broadcast Satellite）放送、デジタル地上波放送等、テレビジョン放送のデジタル化が進められてきており、アナログ方式のテレビジョン放送からデジタル方式のテレビジョン放送への移行が進められている。ここで、電池駆動型の携帯型デジタル放送受信機においては、小型・軽量化と共に、電池持続時間が商品の生命線であるから、低消費電力化が極めて重要な課題となる。
【０００３】
このような低消費電力化に係る技術も種々提案されている。例えば、特許文献１には、携帯型デジタル放送受信機の低消費電力化を図るために、アンテナで受信した放送波の信号レベルをチューナ部で検出して基準値と比較し、正常な音声および映像が得られない信号レベルである場合には、デコーダ回路以降の回路の動作を停止させるといった方法が開示されている。
【特許文献１】特開２００３−１５８６９１号公報
【発明の開示】
【発明が解決しようとする課題】
【０００４】
しかしながら、特許文献１に開示された方法では、デコーダ回路以降の動作を停止させ
るためには、信号レベル検出回路や、基準値との比較器が必要な上、間欠的に受信状態を
監視する必要があるため、タイマー回路等も不可欠となり、回路の複雑化、大型化および
高コスト化を招くという問題があった。また、特許文献１に開示された方法では、受信不
可の場合の低消費電力化は実現できても、正常に受信可能な場合には低消費電力化を図る
ことができないという問題があった。
【０００５】
そこで、本発明の目的は、回路規模の増大を抑制しつつ、信号が正常に受信されている場合においても低消費電力化を実現することが可能な受信装置を提供することである。
【課題を解決するための手段】
【０００６】
上記課題を解決するべく、本願では次に列記するような技術を提案する。
（１）受信された放送波に対する選局を行うチューナ部と、該選局された放送波のＣ／Ｎ比の余裕分に基づいて前記チューナ部での電力消費を制限する電力制限回路と、前記チューナ部で選局された放送信号に対して復調処理を施す復調部とを備えることを特徴とする受信装置。
上記（１）の受信装置では、選局状況に応じてＣ／Ｎ比に余裕分が生じた場合にはチューナ部での電力消費を制限するようにして、放送信号の正常な受信状態を維持しつつ、低消費電力化を実現することが可能となる。
【０００７】
（２）受信された放送波に対する選局を行うチューナ部と、前記チューナ部によって選局された放送信号からＴＭＣＣ情報を得るＴＭＣＣ復号部と、前記チューナ部によって選局された放送信号からＴＳ信号を得るＴＳ復調復号部と、前記ＴＳ復調復号部で得たＴＳ信号から音声信号および映像信号を再生するＭＰＥＧ復調部と、前記ＴＭＣＣ復号部で得たＴＭＣＣ情報に含まれる変調方式を表す情報に基づいて前記チューナ部によって選局された放送信号に適用されている変調方式の種別を検出する変調方式検出部と、前記変調方式検出部によって検出された変調方式の種別に応じて前記チューナ部での電力消費を制限する電力制限回路と、を備えたことを特徴とする受信装置。
【０００８】
上記（２）の受信装置では、選局された放送波に適用されている変調方式の種別に応じてＣ／Ｎ比の余裕分が生じた場合にはチューナ部での電力消費を制限する一方、変調方式の種別の検出については既存のＴＭＣＣ復号部の出力であるＴＭＣＣ情報に含まれる変調方式を表す情報に基づいてこれを行うことができる。このため、放送信号の正常な受信状態を維持しつつ低消費電力化を実現することが可能となるとともに、回路の複雑化、大型化および高コスト化を抑制することができる。
【０００９】
（３）前記電力制限回路は、前記変調方式の種別に対応したＣ／Ｎ比の余裕分に相応するように前記チューナ部での電力消費を制限することを特徴とする（２）の受信装置。
上記（３）の受信装置では、（２）の受信装置において特に、電力制限回路によるチューナ部での電力消費の制限はＣ／Ｎ比の余裕分に相応するものに留められ、これにより、受信品質の劣化を招くことなく、受信装置の低消費電力化を図ることができる。
【００１０】
（４）前記変調方式検出部は、前記ＴＭＣＣ復号部で得たＴＭＣＣ情報に含まれる変調方式を表す情報に基づいて、当該変調方式が変化したタイミングで、前記チューナ部によって選局された放送信号に適用されている変調方式の種別を検出することを特徴とする（２）の受信装置。
上記（４）の受信装置では、（２）の受信装置において特に、変調方式検出部による変調方式の種別の検出は、ＴＭＣＣ復号部で得たＴＭＣＣ情報に含まれる変調方式を表す情報に基づいて、当該変調方式が変化したタイミングで実行されるため、チューナ部における電力消費の制限の状態を変更すべきか否かを計るに適切な時点で変調方式の種別が検出され、該検出の結果に基づいて適切な電力消費の制限を行うことができる。
【００１１】
（５）受信された放送波の選局を行うチューナ部と、前記チューナ部によって選局された放送信号からＴＭＣＣ情報を得るＴＭＣＣ復号部と、前記チューナ部によって選局された放送信号からＴＳ信号を得るＴＳ復調復号部と、前記ＴＳ復調復号部で得たＴＳ信号から音声信号および映像信号を再生するＭＰＥＧ復調部と、前記ＴＭＣＣ復号部で得たＴＭＣＣ情報に含まれる符号化率を表す情報に基づいて前記選局された放送信号に適用された符号化率を検出する符号化率検出部と、前記符号化率検出部によって検出された符号化率に応じて前記チューナ部での電力消費を制限する電力制限回路と、を備えたことを特徴とする受信装置。
【００１２】
上記（５）の受信装置では、選局された放送信号の符号化率に応じてＣ／Ｎ比の余裕分が生じたときにチューナ部での電力消費を制限する一方、符号化率の検出については既存のＴＭＣＣ復号部の出力であるＴＭＣＣ情報に含まれる符号化率を表す情報に基づいてこれを行うことができる。このため、放送信号の正常な受信状態を維持しつつ、低消費電力化を実現することが可能となるとともに、回路の複雑化、大型化および高コスト化を抑制することができる。
【００１３】
（６）前記電力制限回路は、前記符号化率の程度に応じたＣ／Ｎ比の余裕分に相応するように前記チューナ部での電力消費を制限することを特徴とする（５）の受信装置。
上記（６）の受信装置では、（５）の受信装置において特に、電力制限回路によるチューナ部での電力消費の制限はＣ／Ｎ比の余裕分に相応するものに留められ、これにより、受信品質の劣化を招くことなく、受信装置の低消費電力化を図ることができる。
【００１４】
（７）前記符号化率検出部は、前記ＴＭＣＣ復号部で得たＴＭＣＣ情報に含まれる符号化率を表す情報に基づいて、当該符号化率が変化したタイミングで、前記選局された放送信号に適用された符号化率を検出することを特徴とする（５）の受信装置。
上記（７）の受信装置では、（５）の受信装置において特に、符号化率検出部は、ＴＭＣＣ復号部で得たＴＭＣＣ情報に含まれる符号化率を表す情報に基づいて、当該符号化率が変化したタイミングで当該選局された放送信に適用されている符号化率を検出するため、チューナ部における電力消費の制限の状態を変更すべきか否かを計るに適切な時点で符号化率の程度が検出され、該検出の結果に基づいて適切な電力消費の制限を行うことができる。
【００１５】
（８）受信された放送波の選局を行うチューナ部と、前記チューナ部によって選局された放送信号からＴＭＣＣ情報を得るＴＭＣＣ復号部と、前記チューナ部によって選局された放送信号からＴＳ信号を得るＴＳ復調復号部と、前記ＴＳ信号から音声信号および映像信号を再生するＭＰＥＧ復調部と、前記ＴＭＣＣ情報に含まれる変調方式を表す情報に基づいて前記チューナ部によって選局された放送信号に適用されている変調方式の種別を検出する変調方式検出部と、前記ＴＭＣＣ情報に含まれる符号化率を表す情報に基づいて前記選局された放送信号に適用された符号化率を検出する符号化率検出部と、前記変調方式検出部によって検出された変調方式の種別および前記符号化率検出部によって検出された符号化率の程度の双方に基づいて前記チューナ部での電力消費を制限する電力制限回路と、を備えることを特徴とする受信装置。
【００１６】
上記（８）の受信装置では、選局された放送信号の変調方式および符号化率の双方の状況に基づいてＣ／Ｎ比の余裕分が生じた場合にはチューナ部での電力消費を制限する一方、変調方式の種別の検出およびに符号化率の検出ついては既存のものと同様のＴＭＣＣ復号部の出力であるＴＭＣＣ情報に含まれる変調方式を表す情報およびに符号化率を表す情報に基づいてこれを行うことができる。このため、放送信号の正常な受信状態を維持しつつ低消費電力化を実現することが可能となるとともに、回路の複雑化、大型化および高コスト化を抑制することができる。
【００１７】
（９）前記電力制限回路は、前記変調方式の種別および前記符号化率の程度に対応したＣ／Ｎ比の余裕分に相応するように前記チューナ部での電力消費を制限することを特徴とする（８）の受信装置。
上記（９）の受信装置では、（８）の受信装置において特に、電力制限回路によるチューナ部での電力消費の制限はＣ／Ｎ比の余裕分に相応するものに留められ、これにより、受信品質の劣化を招くことなく、受信装置の低消費電力化を図ることができる。
【００１８】
（１０）前記変調方式検出部は、前記ＴＭＣＣ復号部で得たＴＭＣＣ情報に含まれる変調方式を表す情報に基づいて、当該変調方式が変化したタイミングで、前記チューナ部によって選局された放送信号に適用されている変調方式の種別を検出するように構成され、且つ、前記符号化率検出部は、前記ＴＭＣＣ復号部で得たＴＭＣＣ情報に含まれる符号化率を表す情報に基づいて、当該符号化率が変化したタイミングで、前記選局された放送信号に適用された符号化率を検出するように構成されていることを特徴とする（８）の受信装置。
【００１９】
上記（１０）の受信装置では、（８）の受信装置において特に、前記変調方式検出部は、前記ＴＭＣＣ復号部で得たＴＭＣＣ情報に含まれる変調方式を表す情報に基づいて、当該変調方式が変化したタイミングで、前記チューナ部によって選局された放送信号に適用されている変調方式の種別を検出し、また、符号化率検出部は、ＴＭＣＣ復号部で得たＴＭＣＣ情報に含まれる符号化率を表す情報に基づいて、当該符号化率が変化したタイミングで当該選局された放送信に適用されている符号化率を検出するため、チューナ部における電力消費の制限の状態を変更すべきか否かを計るに適切な時点で符号化率の程度が検出され、該検出の結果に基づいて適切な電力消費の制限を行うことができる。
【００２０】
（１１）放送波を受信して前記チューナ部に供給するアンテナ、前記ＭＰＥＧ復調部で復調された音声信号による音声を出力するスピーカ、前記ＭＰＥＧ復調部で復調された映像信号による映像を表示するディスプレイ、および、受信装置に作動用の電力を供給する電源のうち少なくとも何れかのものを更に備えていることを特徴とする（２）、（５）、および、（８）の何れか一の受信装置。
上記（１１）の受信装置では、（２）、（５）、および、（８）の何れか一の受信装置において特に、例えば、これらが一つの筐体内に備えられた可搬型の受信装置として軽便さに優れた装置を実現することができる。
【発明を実施するための最良の形態】
【００２１】
以下、本発明の実施の形態を図面を参照して説明する。尚、以下に参照する図においては、便宜上、説明の主題となる要部は適宜誇張し、要部以外については適宜簡略化し乃至省略されている。
【００２２】
図１は、本発明の一つの実施の形態としての受信装置を表すブロック図である。
図１において、一点鎖線で表わされた受信装置１００は、デジタル方式のテレビジョン放送の電波を受信するアンテナ１から供給されるＲＦ信号を受けて所望のテレビジョン信号の選局を行うチューナ部２、ＯＦＤＭ（Orthogonal Frequency Division Multiplexing）復調処理を行うＯＦＤＭ復調部３、ＭＰＥＧ（Moving Picture Experts Group）方式による復調処理を行うＭＰＥＧ復調部５を含んで構成されている。
【００２３】
また、本受信装置１００のＭＰＥＧ復調部５には、テレビジョン放送の音声を出力するスピーカ６およびテレビジョン放送の映像を表示するディスプレイ７が、図示しない適宜の端子部等を通して接続されている。尚、デジタル方式のテレビジョン放送としては、例えば、デジタルＣＳ放送やデジタルＢＳ放送、デジタル地上波放送等がこれに該当する。
ＯＦＤＭ復調部３には、チューナ部２によって選局されたテレビジョン放送信号に基づいてＴＭＣＣ（Transmission Multiplexing Configuration Control：伝送多重制御）情報を得るＴＭＣＣ復号部８およびチューナ部２によって選局されたテレビジョン放送信号からＴＳ（Transport Stream：伝送ストリーム）信号を得るＴＳ復調復号部４が設けられている。
【００２４】
尚、ＴＭＣＣ情報には、階層伝送に関する情報、変調方式や符号化率などの各階層の伝送パラメータ情報、ＯＦＤＭセグメントに関する情報などを含むことができる。ここで、変調方式とは、送信される情報に基づいて、テレビジョン放送の搬送波の位相または、位相と振幅のいずれかを変化させる方式を言う。また、符号化率とは、情報ブロックの長さを符号ブロックの長さで割った値を言う。
【００２５】
デジタル放送では、放送局や放送チャネルや番組ごとに変調方式や符号化率を異ならせることができる。通常、チューナ部２は、これらの全ての変調方式や符号化率に対応するために、最も伝送情報量の多い変調方式や符号化率に対応可能な仕様に設計される。
受信装置１００には、更に、チューナ部２に電力を供給する電源１１、ＴＭＣＣ情報に含まれる変調方式を表す情報に基づいて、選局されたテレビジョン放送波の変調方式を検出する変調方式検出部９、変調方式検出部９によって検出された変調方式の種別に応じて、チューナ部２での電力消費を制限する電力制限回路１０が設けられている。
【００２６】
本実施の形態における特徴であるこの電力制限回路１０は、テレビジョン放送波の変調方式の変化に対応したＣ／Ｎ比（Carrier to Noise Ratio）の余裕分に相応してチューナ部２での電力消費を制限するように機能する。この機能は、例えば、電源１１からチューナ部２に供給する電源電圧を調節し、或いは、供給電流を調節するといった、それ自体は公知の方法を適用して達成され得る。
【００２７】
一方、アンテナ１によって受信されたデジタル方式のテレビジョン信号はチューナ部２に供給され、このチューナ部２における選局動作によって、アンテナ１から送られたＲＦ（Radio Frequency）信号の中から所望のデジタル放送の搬送周波数信号がチューナ部２によって選択され、このデジタル放送の搬送周波数信号が中間周波信号に変換される。
チューナ部２は、局部発振信号を搬送周波数信号に混合することにより、搬送周波数信号を中間周波信号に変換する混合器を備えたスーパーヘテロダイン方式の構成を採ることができる。このような構成のチューナ部２では、局部発振信号の局発周波数を設定し、その局部発振信号と搬送周波数信号とを混合器によって混合することにより、デジタル放送の搬送周波数信号が中間周波信号に変換される。
【００２８】
チューナ部２においてデジタル放送の搬送周波数信号が中間周波信号に変換され、この中間周波信号がＯＦＤＭ復調部３に供給される。ＯＦＤＭ復調部３は、破線で図示されたようにＴＳ復調復号部４とＴＭＣＣ復号部８とを含んで構成されていることは既述の通りであり、上述のように供給された中間周波信号はこのＴＳ復調復号部４およびＴＭＣＣ復号部８の双方に供給される。
【００２９】
ＴＭＣＣ復号部８では、チューナ部２から供給されたテレビジョン放送信号からＴＭＣＣ情報を復号し、このＴＭＣＣ情報をＴＳ復調復号部４に供給する。ＴＳ復調復号部４では、ＴＭＣＣ復号部８からＴＭＣＣ情報を受け取ると、ＴＭＣＣ情報で特定される変調方式の種別に応じて復号方式を選択的に適用して、チューナ部２で選局されて供給されるテレビジョン放送信号からＴＳ信号を得る。
【００３０】
上述のようにしてＯＦＤＭ復調部３によってＯＦＤＭ復調処理復調されたデジタル信号はＭＰＥＧ復調部５に供給され、ＭＰＥＧ復調部５で映像信号および音声信号に復調される。復調された音声信号はスピーカ６に供給され、スピーカ６からテレビジョン放送の音声が出力される。また、ＭＰＥＧ復調部５によって復調された映像信号はディスプレイ７に供給され、ディスプレイ７によってテレビジョン放送の映像が表示される。
【００３１】
一方、ＴＭＣＣ復号部８は、チューナ部２から供給されたテレビジョン放送信号を復号することによってＴＭＣＣ情報を得、そのＴＭＣＣ情報を変調方式検出部９に供給する。このＴＭＣＣ情報を受けた変調方式検出部９では、ＴＭＣＣ復号部８からＴＭＣＣ情報を受け取ると、チューナ部２で現在時点で選局されているテレビジョン放送の変調方式の種別をこのＴＭＣＣ情報に含まれる変調方式を表す情報に基づいて検出する。
【００３２】
この検出は、ＴＭＣＣ情報に基づいて、当該テレビジョン放送波の変調方式が変化したタイミングで行われる。変調方式検出部９は、テレビジョン放送波が伝送情報量の多い変調方式から伝送情報量の少ない変調方式に変更された場合、その変更された変調方式に関する情報を電力制限回路１０に供給する。電力制限回路１０では、変調方式検出部９から変更された変調方式に関する情報を受け取ると、その変更に対応したＣ／Ｎ比の余裕分を見積もり、そのＣ／Ｎ比の余裕分だけチューナ部２の電力を制限する。
【００３３】
尚、変調方式に応じたＣ／Ｎ比の余裕分およびチューナ部２における電力消費の制限の程度はシミュレーションや実験などによって予め決定し、決定したデータは電力制限回路１０に予め保持しておくように構成することができる。
選局されたテレビジョン放送波が、伝送情報量の少ない変調方式から伝送情報量の多い変調方式に変更された場合、即ち、所要のＣ／Ｎ比を確保しつつ信号処理を行うに要する電力が相対的に少ない変調方式から多い変調方式に変更になった場合には、電力制限回路１０は電力消費の制限を緩和する方向に制御動作を行う。
【００３４】
上述した図１の実施の形態では、チューナ部２で選局された放送波に適用されている変調方式の種別に応じてＣ／Ｎ比の余裕分が生じた場合にはチューナ部での電力消費を制限することができる。また、変調方式の種別の検出については既存のものと同様の構成を採り得るＴＭＣＣ復号部８の出力であるＴＭＣＣ情報に含まれる変調方式を表す情報に基づいてこれを行うことができる。このため、放送信号の正常な受信状態を維持しつつ低消費電力化を実現することが可能となるとともに、回路の複雑化、大型化および高コスト化を抑制することができる。
【００３５】
更にまた、電力制限回路１０によるチューナ部２での電力消費の制限はＣ／Ｎ比の余裕分に相応するものに留められ、これにより、受信品質の劣化を招くことなく、受信装置１００の低消費電力化を図ることができる。
また、特に、変調方式検出部９による変調方式の種別の検出は、ＴＭＣＣ復号部８で得たＴＭＣＣ情報に含まれる変調方式を表す情報に基づいて、当該変調方式が変化したタイミングで実行されるため、チューナ部２における電力消費の制限の状態を変更すべきか否かを計るに適切な時点で変調方式の種別が検出され、検出の結果に基づいて適切な電力消費の制限を行うことができる。
【００３６】
図１において、一点鎖線で表わされた受信装置１００の部分を、半導体集積回路装置として一体的に構成することは推奨される。このように構成した場合は、省電力化が図られ、且つ、量産に適し、低コストで信頼性が高い受信装置を実現することができる。尚、図１において、一点鎖線で表わされた受信装置１００のうち、二点鎖線で図示されている電力制限回路１０については、所謂外付けする構成を採り、残りの部分について、半導体集積回路装置として一体的に構成してもよい。
【００３７】
尤も、半導体集積回路装置として一体的に構成され得る部分は、上述のような一点鎖線で表わされた部分、或いは、ここから上述の二点鎖線で表わされた部分を除く部分に限られるものでないことは勿論であり、設計時に考慮される種々の条件に応じて任意に区分けされる機能部分毎に適宜に半導体集積回路装置として構成され得る。
また、受信装置を、図１において一点鎖線で表わされた限りの構成のものとせず、アンテナ１、スピーカ６、ディスプレイ７、および、電源１１の全て、乃至は、それらのうちの何れかのものを含んで一つの受信装置となるように構成してもよい。この場合は、例えば、これらが一つの筐体内に備えられた可搬型の受信装置として軽便さに優れた装置を実現することができる。
【００３８】
図２は、本発明の他の実施の形態としての受信装置を表すブロック図である。
図２において、一点鎖線で表わされた受信装置２００は、デジタル方式のテレビジョン放送の電波を受信するアンテナ２１から供給されるＲＦ信号を受けて所望のテレビジョン信号の選局を行うチューナ部２２、ＯＦＤＭ復調処理を行うＯＦＤＭ復調部２３、ＭＰＥＧ方式による復調処理を行うＭＰＥＧ復調部２５を含んで構成されている。
【００３９】
また、本受信装置２００のＭＰＥＧ復調部２５には、テレビジョン放送の音声を出力するスピーカ２６およびテレビジョン放送の映像を表示するディスプレイ２７が、図示しない適宜の端子部等を通して接続されている。
ＯＦＤＭ復調部２３には、チューナ部２２によって選局されたテレビジョン放送信号に基づいてＴＭＣＣ情報を得るＴＭＣＣ復号部２８およびチューナ部２２によって選局されたテレビジョン放送信号からＴＳ（Transport Stream：伝送ストリーム）信号を得るＴＳ復調復号部２４が設けられている。
【００４０】
受信装置２００には、更に、チューナ部２２に電力を供給する電源３１、ＴＭＣＣ情報に含まれる符号化率を表す情報に基づいて、選局されたテレビジョン放送波の符号化率を検出する符号化率検出部２９、符号化率検出部２９によって検出された符号化率の程度に応じて、チューナ部２２での電力消費を制限する電力制限回路３０が設けられている。
【００４１】
本実施の形態における特徴であるこの電力制限回路３０は、テレビジョン放送波の変調方式の変化に対応したＣ／Ｎ比の余裕分に相応してチューナ部２２での電力消費を制限するように機能する。この機能は、例えば、電源３１からチューナ部２２に供給する電源電圧を調節し、或いは、供給電流を調節するといった、それ自体は公知の方法を適用して達成され得る。
一方、アンテナ２１によって受信されたデジタル方式のテレビジョン信号はチューナ部２２に供給され、このチューナ部２２における選局動作によって、アンテナ２１から送られたＲＦ信号の中から所望のデジタル放送の搬送周波数信号がチューナ部２２によって選択され、このデジタル放送の搬送周波数信号が中間周波信号に変換される。
【００４２】
チューナ部２２は、局部発振信号を搬送周波数信号に混合することにより、搬送周波数信号を中間周波信号に変換する混合器を備えたスーパーヘテロダイン方式の構成を採ることができる。このような構成のチューナ部２２では、局部発振信号の局発周波数を設定し、その局部発振信号と搬送周波数信号とを混合器によって混合することにより、デジタル放送の搬送周波数信号が中間周波信号に変換される。
【００４３】
チューナ部２２においてデジタル放送の搬送周波数信号が中間周波信号に変換され、この中間周波信号がＯＦＤＭ復調部２３に供給される。ＯＦＤＭ復調部２３は、破線で図示されたようにＴＳ復調復号部２４とＴＭＣＣ復号部２８とを含んで構成されていることは既述の通りであり、上述のように供給された中間周波信号はこのＴＳ復調復号部２４およびＴＭＣＣ復号部２８の双方に供給される。
【００４４】
ＴＭＣＣ復号部２８では、チューナ部２２から供給されたテレビジョン放送信号からＴＭＣＣ情報を復号し、このＴＭＣＣ情報をＴＳ復調復号部２４に供給する。ＴＳ復調復号部２４では、ＴＭＣＣ復号部２８からＴＭＣＣ情報を受け取ると、ＴＭＣＣ情報で特定される変調方式の種別に応じて復号方式を選択的に適用して、チューナ部２２で選局されて供給されるテレビジョン放送信号からＴＳ信号を得る。
【００４５】
上述のようにしてＯＦＤＭ復調部２３によってＯＦＤＭ復調処理復調されたデジタル信号はＭＰＥＧ復調部２５に供給され、ＭＰＥＧ復調部２５で映像信号および音声信号に復調される。復調された音声信号はスピーカ２６に供給され、スピーカ２６からテレビジョン放送の音声が出力される。また、ＭＰＥＧ復調部２５によって復調された映像信号はディスプレイ２７に供給され、ディスプレイ２７によってテレビジョン放送の映像が表示される。
【００４６】
一方、ＴＭＣＣ復号部２８は、チューナ部２２から供給されたテレビジョン放送信号を復号することによってＴＭＣＣ情報を得、そのＴＭＣＣ情報を符号化率検出部２９に供給する。このＴＭＣＣ情報を受けた符号化率検出部２９では、ＴＭＣＣ復号部２８からＴＭＣＣ情報を受け取ると、チューナ部２２で現在時点で選局されているテレビジョン放送の符号化率をこのＴＭＣＣ情報に含まれる符号化率を表す情報に基づいて検出する。
【００４７】
この検出は、ＴＭＣＣ情報に基づいて、当該テレビジョン放送波の符号化率が変化したタイミングで行われる。符号化率検出部２９は、テレビジョン放送波が伝送情報量の多い場合に対応する符号化率から伝送情報量の少ない場合に対応する符号化率に変更された場合、その変更された符号化率に関する情報を電力制限回路３０に供給する。電力制限回路３０では、符号化率検出部２９から変更された符号化率に関する情報を受け取ると、その変更に対応したＣ／Ｎ比の余裕分を見積もり、そのＣ／Ｎ比の余裕分だけチューナ部２２の電力を制限する。
【００４８】
尚、符号化率に応じたＣ／Ｎ比の余裕分およびチューナ部２２における電力消費の制限の程度はシミュレーションや実験などによって予め決定し、決定したデータは電力制限回路３０に予め保持しておくように構成することができる。
選局されたテレビジョン放送波が、伝送情報量の少ない変調方式から伝送情報量の多い変調方式に変更された場合、即ち、所要のＣ／Ｎ比を確保しつつ信号処理を行うに要する電力が相対的に少ない符号化率から多い符号化率に変更になった場合には、電力制限回路３０は電力消費の制限を緩和する方向に制御動作を行う。
【００４９】
上述した図２の実施の形態では、チューナ部２２で選局された放送波に適用されている符号化率の程度に応じてＣ／Ｎ比の余裕分が生じた場合にはチューナ部での電力消費を制限することができる。また、符号化率の検出については既存のものと同様の構成を採り得るＴＭＣＣ復号部２８の出力であるＴＭＣＣ情報に含まれる符号化率を表す情報に基づいてこれを行うことができる。このため、放送信号の正常な受信状態を維持しつつ低消費電力化を実現することが可能となるとともに、回路の複雑化、大型化および高コスト化を抑制することができる。
【００５０】
更にまた、電力制限回路３０によるチューナ部２２での電力消費の制限はＣ／Ｎ比の余裕分に相応するものに留められ、これにより、受信品質の劣化を招くことなく、受信装置２００の低消費電力化を図ることができる。
また、特に、符号化率検出部２９による符号化率の検出は、ＴＭＣＣ復号部２８で得たＴＭＣＣ情報に含まれる符号化率を表す情報に基づいて、当該符号化率が変化したタイミングで実行されるため、チューナ部２２における電力消費の制限の状態を変更すべきか否かを計るに適切な時点で符号化率の程度が検出され、検出の結果に基づいて適切な電力消費の制限を行うことができる。
【００５１】
図２において、一点鎖線で表わされた受信装置２００の部分を、半導体集積回路装置として一体的に構成することは推奨される。このように構成した場合は、省電力化が図られ、且つ、量産に適し、低コストで信頼性が高い受信装置を実現することができる。尚、図２において、一点鎖線で表わされた受信装置２００のうち、二点鎖線で図示されている電力制限回路３０については、所謂外付けする構成を採り、残りの部分について、半導体集積回路装置として一体的に構成してもよい。
【００５２】
図２の実施の形態においても、半導体集積回路装置として一体的に構成され得る部分は、上述のような一点鎖線で表わされた部分、或いは、ここから上述の二点鎖線で表わされた部分を除く部分に限られるものでないことは勿論であり、設計時に考慮される種々の条件に応じて任意に区分けされる機能部分毎に適宜に半導体集積回路装置として構成され得る。
【００５３】
また、受信装置を、図２において一点鎖線で表わされた限りの構成のものとせず、アンテナ２１、スピーカ２６、ディスプレイ２７、および、電源３１の全て、乃至は、それらのうちの何れかのものを含んで一つの受信装置となるように構成してもよい。この場合は、例えば、これらが一つの筐体内に備えられた可搬型の受信装置として軽便さに優れた装置を実現することができる。
【００５４】
図３は、本発明の実施の形態に係る変調方式および符号化率に対応する所要のＣ／Ｎ比を例示した図である。
日本国等においては、地上波デジタル放送では階層伝送方式が用いられ、固定受信、移動体、携帯のそれぞれの受信形態ごとに別の階層で放送サービスが行われる。そして、これらの階層ごとに使用可能な伝送パラメータが複数規定されている。この伝送パラメータには変調方式および符号化率が含まれており、地上波デジタル放送における変調方式には、例えば、ＱＰＳＫ、１６ＱＡＭ、６４ＱＡＭの３種類が規定されている。
【００５５】
また、符号化率には、１／２、２／３、３／４、５／６、７／８の５種類が規定されている。そして、これらの伝送容量とエラーフリーで復号可能な所要Ｃ／Ｎ値（搬送波電力と雑音電力との比）が異なっている。
例えば、ＱＰＳＫと符号化率（１／２）との組み合わせでは所要Ｃ／Ｎ値が４．９（ｄＢ）、ＱＰＳＫと符号化率（２／３）との組み合わせでは所要Ｃ／Ｎ値が６．６（ｄＢ）、ＱＰＳＫと符号化率（３／４）との組み合わせでは所要Ｃ／Ｎ値が７．５（ｄＢ）、ＱＰＳＫと符号化率（５／６）との組み合わせでは所要Ｃ／Ｎ値が８．５（ｄＢ）、ＱＰＳＫと符号化率（７／８）との組み合わせでは所要Ｃ／Ｎ値が９．１（ｄＢ）である。
【００５６】
また、１６ＱＡＭと符号化率（１／２）との組み合わせでは所要Ｃ／Ｎ値が１１．５（ｄＢ）、１６ＱＡＭと符号化率（２／３）との組み合わせでは所要Ｃ／Ｎ値が１３．５（ｄＢ）、１６ＱＡＭと符号化率（３／４）との組み合わせでは所要Ｃ／Ｎ値が１４．６（ｄＢ）、１６ＱＡＭと符号化率（５／６）との組み合わせでは所要Ｃ／Ｎ値が１５．６（ｄＢ）、１６ＱＡＭと符号化率（７／８）との組み合わせでは所要Ｃ／Ｎ値が１６．２（ｄＢ）である。
【００５７】
更にまた、６４ＱＡＭと符号化率（１／２）との組み合わせでは所要Ｃ／Ｎ値が１６．５（ｄＢ）、６４ＱＡＭと符号化率（２／３）との組み合わせでは所要Ｃ／Ｎ値が１８．７（ｄＢ）、６４ＱＡＭと符号化率（３／４）との組み合わせでは所要Ｃ／Ｎ値が２０．１（ｄＢ）、６４ＱＡＭと符号化率（５／６）との組み合わせでは所要Ｃ／Ｎ値が２１．３（ｄＢ）、６４ＱＡＭと符号化率（７／８）との組み合わせでは所要Ｃ／Ｎ値が２２．０（ｄＢ）である。
【００５８】
このため、例えば、符号化率（１／２）のままで変調方式が１６ＱＡＭからＱＰＳＫに
変更された場合には所要Ｃ／Ｎ値に６．６（ｄＢ）分の余裕が生じるから、図１の電力制
限回路１０は、この余裕に相応した分のチューナ部２での電力消費を所要Ｃ／Ｎ値を維持しながら削減することができる。
また、変調方式がＱＰＳＫのままで符号化率が２／３から１／２に変更された場合には所要Ｃ／Ｎ値に１．７（ｄＢ）分の余裕が生じるから、図２の電力制限回路３０は、この余裕に相応した分のチューナ部２２での電力を所要Ｃ／Ｎ値を維持しながら削減することができる。
【００５９】
図４は、本発明の更に他の実施の形態としての受信装置を表すブロック図である。
図４において、既述の図１の実施の形態との対応部は同一の参照符号を附して示し、それらの説明は省略するが、この図４の実施の形態では、変調方式の種別および符号化率の程度の双方に基づいてチューナ部での電力消費を制限する構成を採る。
【００６０】
即ち、図４の受信装置４００は、受信された放送波の選局を行うチューナ部２、チューナ部２によって選局された放送信号からＴＭＣＣ情報を得るＴＭＣＣ復号部８、チューナ部８によって選局された放送信号からＴＳ信号を得るＴＳ復調復号部４、ＴＳ信号から音声信号および映像信号を再生するＭＰＥＧ復調部５、ＴＭＣＣ情報に含まれる変調方式を表す情報に基づいてチューナ部２によって選局された放送信号に適用されている変調方式の種別を検出する変調方式検出部９ａ、ＴＭＣＣ情報に含まれる符号化率を表す情報に基づいて選局された放送信号に適用された符号化率を検出する符号化率検出部２９ａ、変調方式検出部９ａによって検出された変調方式の種別および符号化率検出部２９ａによって検出された符号化率の程度の双方に基づいてチューナ部２での電力消費を制限する電力制限回路１０ａ、を備えて構成される。
【００６１】
電力制限回路１０ａは、変調方式検出部９ａから供給される変調方式の種別のデータおよび符号化率検出部２９ａから供給される符号化率の程度のデータに各対応して、図３にを参照して既述のような所要Ｃ／Ｎ値の水準が維持されるようにして、チューナ部２での電力消費を制限する。
【００６２】
このため、図４の実施の形態では、選局された放送信号の変調方式および符号化率の双方の状況に基づいてＣ／Ｎ比の余裕分が生じた場合にはチューナ部２での電力消費を制限する一方、変調方式の種別の検出およびに符号化率の検出ついては既存のものと同様のＴＭＣＣ復号部８の出力であるＴＭＣＣ情報に含まれる変調方式を表す情報およびに符号化率を表す情報に基づいてこれを行うことができる。従って、放送信号の正常な受信状態を維持しつつ低消費電力化を実現することが可能となるとともに、回路の複雑化、大型化および高コスト化を抑制することができる。
【００６３】
また、電力制限回路１０ａは、変調方式の種別および符号化率の程度に対応したＣ／Ｎ比の余裕分に相応するようにチューナ部２での電力消費を制限する。このため、電力制限回路１０ａによるチューナ部２での電力消費の制限はＣ／Ｎ比の余裕分に相応するものに留められ、これにより、受信品質の劣化を招くことなく、受信装置４００の低消費電力化を図ることができる。
【００６４】
更に、変調方式検出部９ａは、ＴＭＣＣ復号部８で得たＴＭＣＣ情報に含まれる変調方式を表す情報に基づいて、当該変調方式が変化したタイミングで、チューナ部２によって選局された放送信号に適用されている変調方式の種別を検出し、また、符号化率検出部２９ａは、ＴＭＣＣ復号部で得たＴＭＣＣ情報に含まれる符号化率を表す情報に基づいて、当該符号化率が変化したタイミングで当該選局された放送信号に適用されている符号化率を検出するため、チューナ部２における電力消費の制限の状態を変更すべきか否かを計るに適切な時点で符号化率の程度が検出され、該検出の結果に基づいて適切な電力消費の制限を行うことができる。
【００６５】
図４の装置においても図１、図２の装置におけると同様に、一点鎖線で表わされた受信装置４００の部分を、半導体集積回路装置として一体的に構成することは推奨される。このように構成した場合は、省電力化が図られ、且つ、量産に適し、低コストで信頼性が高い受信装置を実現することができる。尚、図４において、一点鎖線で表わされた受信装置４００のうち、二点鎖線で図示されている電力制限回路１０ａについては、所謂外付けする構成を採り、残りの部分について、半導体集積回路装置として一体的に構成してもよい。
【００６６】
図４の実施の形態においても、半導体集積回路装置として一体的に構成され得る部分は、上述のような一点鎖線で表わされた部分、或いは、ここから上述の二点鎖線で表わされた部分を除く部分に限られるものでないことは勿論であり、設計時に考慮される種々の条件に応じて任意に区分けされる機能部分毎に適宜に半導体集積回路装置として構成され得る。
【００６７】
また、受信装置を、図４において一点鎖線で表わされた限りの構成のものとせず、アンテナ１、スピーカ６、ディスプレイ７、および、電源１１の全て、乃至は、それらのうちの何れかのものを含んで一つの受信装置となるように構成してもよい。この場合は、例えば、これらが一つの筐体内に備えられた可搬型の受信装置として軽便さに優れた装置を実現することができる。
【図面の簡単な説明】
【００６８】
【図１】本発明の一つの実施の形態としての受信装置を表すブロック図である。
【図２】本発明の他の実施の形態としての受信装置を表すブロック図である。
【図３】本発明の実施の形態に係る変調方式および符号化率に対応する所要のＣ／Ｎ比を例示した図である。
【図４】本発明の更に他の実施の形態としての受信装置を表すブロック図である。
【符号の説明】
【００６９】
１、２１…アンテナ  ２、２２…チューナ部  ３、２３…ＯＦＤＭ復調部  ４、２４…
ＴＳ復調復号部  ５、２５…ＭＰＥＧ復調部  ６、２６…スピーカ  ７、２７…ディスプ
レイ  ８、２８…ＴＭＣＣ復号部  ９、９ａ…変調方式検出部  １０、１０ａ、３０…電力制限回路  １１、３１…電源、２９、２９ａ…符号化率検出部
【図１】
2007068144.tif 000003
【図２】
2007068144.tif 000004
【図３】
2007068144.tif 000005
【図４】
2007068144.tif 000006